(57)【要約】  【課題】高齢者、障害者、年少者が容易により快適にキャップの開閉が自分で行える様にしたい。【解決手段】長さの異なる２枚の特定の剛性を持つ刻みを入れたゴムシートを接着したアクリル板の長手方向の両端を揃えて固定し、ペットボトルのキャップの外形より少し小さい隙間を作り、キャップを押し、リンクの形状を変化させる事によりリンク機構でキャップが開閉出来る様にした。【選択図】図１
2020117288.tif 000002
【特許請求の範囲】
【請求項１】
帯状の、特定の長さの異なる２枚の特定の剛性を持つ刻みを入れたゴムシートを
接着したアクリル板のゴムシート側を内側に組み合わせ、長手方向の両端を揃えて
固定し、ペットボトルのキャップの外形より少し小さい隙間を作り、両端の符号６
の固定兼押し付け用のキャップを押し、図４、及び図５のリンクの形状が維持できる
様に躾をした形状を持つ事を特徴とするリンク型キャップ開閉具。
【請求項２】
請求項１のリンクの形状により、より小さな力で回転モーメントを利用し、ペット
ボトルのキャップの開閉ができる事を特徴とするリンク型キャップ開閉具。
【請求項３】
請求項１の特定の長さの異なる２枚の特定の剛性を持つ刻みを入れたゴムシートを
接着したアクリル板の躾をする事でアクリル板が塑性変形しないでバネとなり、
リンク機構が手を緩めると、キャップに取り付けたリンク型キャップ開閉具が
キャップ開放状態から自動的にキャップを挟んだ状態になる事を特徴とする
リンク型キャップ開閉具。
【発明の詳細な説明】
【技術分野】
【０００１】
本発明はペットボトルのキャップの開閉具に関するものである。
【背景技術】
【０００２】
キャップの開閉具としては多数のものが見受けられるが、より簡単に軽く開閉が
できる開閉具の要求はまだ尽きない。
【０００３】
現在も似たような使用目的ものはあるが手の力が衰えた方が自分で使用し易いもの
は少ない。
【先行技術文献】
【特許文献】
【０００４】
【特許文献１】特開２００９−２９８４１０
【特許文献２】特開２００９−１２６５１７
【特許文献３】特開２０１１−１８４１００
【特許文献４】特許第４１８３１４４号
【特許文献５】特許第６１６６４９５号
【発明の概要】
【発明が解決しようとする課題】
【０００５】
高齢者、障害者、年少者が容易により快適にキャップの開閉が自分で行える様
にしたい。一時のペットボトルブームに様々な形状、取り扱い方法の物が見かけ
られた。しかし、その当時の物は殆ど淘汰され現在継続して使用されている物
は少ない。見直してみると使いにくさや思った以上に力を必要としているものが
多々あった。
【０００６】
又、キャップに開閉具を使用状態のまま保持できない。高齢者や年少者は一本を
一回で飲み切ることは殆どなく、少し飲んではキャップを閉じ少したって又開けて
飲む事が多い。出来ればキャップに取り付けた状態で維持できる様にしたい。
【課題を解決するための手段】
【０００７】
本発明は、上記の課題を解決するために、
帯状の、特定の長さの異なる２枚の特定の剛性を持つ刻みを入れたゴムシートを
接着したアクリル板のゴムシート側を内側に組み合わせ、長手方向の両端を揃えて
固定し、ペットボトルのキャップの外形より少し小さい隙間を作り、両端の符号６
の固定兼押し付け用のキャップを押し、図４、及び図５のリンクの形状が維持できる
様に躾をした形状を持つリンク型キャップ開閉具を作った。
リンク型のキャップ開閉具にする事により、小さな力で回転モーメントを利用し、
ペットボトルのキャップの開閉ができる。    
【０００８】
また、特定の長さの異なる２枚の特定の剛性を持つ刻みを入れたゴムシートを
接着したアクリル板の躾をする事でアクリル板が塑性変形しないでバネとなり、
キャップに取り付けたリンク型キャップ開閉具のリンク機構が手を緩めると、
自動的にキャップ開放状態からキャップを挟んだ状態になる様にした。
【発明の効果】
【０００９】
キャップ開閉具の形状をリンク機構にしたことにより、高齢者、障害者、年少者が容易
により快適にキャップの開閉が行える様になった。
【図面の簡単な説明】
【００１０】
【図１】図１は本発明を上から見た時の機構を示す。
【図２】図２は本発明を上から見た時の回転モーメントのかかり方を示す。
【図３】図３は本発明を横から見た時の図である。
【図４】図４は本発明のリンクの形状が閉じた時の図である。
【図５】図５は本発明のリンクの形状が開いた時の図である。
【発明を実施するための形態】
【００１１】
本発明の実施形態を図１〜図５に基づいて説明する。
【００１２】
図１は本発明を上から見た時の機構を示す。指でリンクの形状のキャップ開閉具の
両端を押した時と解放した時の形状の変化の状態を示す。
【００１３】
図２は本発明を上から見た時の回転モーメントのかかり方を示す。小さな力で
キャップを挟みながら開閉具を回転させている状況を示す。
【００１４】
図３は本発明を横から見た時の図である。手を放しても特定の剛性を持つ帯状の
アクリル板の効果でキャップを保持した状態である。
【００１５】
図４は本発明のリンクの形状が閉じた時の図である。キャップ表面の小さな凹凸
と刻みを入れたゴムシートの凹凸がかみ合い挟んだ状態を示す。
【００１６】
図５は本発明のリンクの形状が開いた時の図である。これによりキャップ表面の
小さな凹凸と刻みを入れたゴムシートの凹凸の間に隙間ができキャップが解放
された状態を示す。
【実施例１】
【００１７】
図１は、本発明の使用例を示す。
【産業上の利用可能性】
【００１８】
高齢者や握力の落ちた人や障害者、年少者が人手を借りず一人でキャップの開閉を行う事が
出来る様になる。
【符号の説明】
【００１９】
１  ペットボトル
２  ペットボトルのキャップ
３  キャップ解放時の特定の剛性を持つアクリル板Ａの位置
４  刻みを入れたゴムシート
５  キャップ解放時の特定の剛性を持つアクリル板Ｂの位置
６  固定兼押し付け用キャップ
７  キャップ表面の小さな凹凸
８  キャップを挟んだ時の特定の剛性を持つアクリル板Ａの位置
９  キャップを挟んだ時の特定の剛性を持つアクリル板Ｂの位置
１０  キャップ解放時に出来る隙間
【図１】
2020117288.tif 000003
【図２】
2020117288.tif 000004
【図３】
2020117288.tif 000005
【図４】
2020117288.tif 000006
【図５】
2020117288.tif 000007
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
帯状の、特定の長さの異なる２枚の特定の剛性を持つ刻みを入れたゴムシートを
接着したアクリル板のゴムシート側を内側に組み合わせ、長手方向の両端を揃えて
固定し、ペットボトルのキャップの外径より少し小さい空間を作り、リンク機構を
利用して、両端の固定兼押し付け用のキャップを押すとアクリル板の屈曲を大きく
してキャップにはめ込み、解放してアクリル板の屈曲を元に戻し、キャップが固定
出来る様に躾をした形状を特徴とするリンク型キャップ開閉具。
【請求項２】
請求項１のリンクの形状により、より小さな力で回転モーメントを利用し、ペット
ボトルのキャップの開閉ができる事を特徴とするリンク型キャップ開閉具。
【請求項３】
請求項１の特定の長さの異なる２枚の特定の剛性を持つ刻みを入れたゴムシートを
接着したアクリル板の躾をする事でアクリル板が塑性変形しないでバネとなり、
リンク機構が手を緩めると、キャップに取り付けたリンク型キャップ開閉具が
キャップ開放状態から自動的にキャップを挟んだ状態になる事を特徴とする
リンク型キャップ開閉具。